(57)【要約】【課題】コンソールドアをスライドさせた状態であっても、ボックス本体の収納部あるいは内部トレイの収納部をそれぞれ利用するための操作を可能とする。【解決手段】コンソールドアが前後方向へスライド可能で、かつボックス本体あるいは内部トレイの個々の収納部を選択的に利用できる形式のコンソールボックスであって、ボックス本体１０とコンソールドア１６とをロックする第１ロック部材（第１ストライカー２６）と、コンソールドアと内部トレイ１２とをロックする第２ロック部材（第２ストライカー２８）と、第１操作ノブ２０あるいは第２操作ノブ２２の操作に個別に連動して第１ロック部材あるいは第２ロック部材にロック解除の作動力を伝達する第１ロック解除部材（第１作動体３０）および第２ロック解除部材（第２作動体３２）とを備えている。両ロック解除部材は、コンソールドアのスライドストローク内において、個々のロック部材に対する作動力の伝達が可能に配置されている。【選択図】図６
2008273366.tif 000002
【特許請求の範囲】
【請求項１】
ボックス本体に対してコンソールドアが開閉可能で、かつ、前後方向へのスライド可能に組み付けられているとともに、ボックス本体の開放面とコンソールドアとの間に内部トレイが設けられ、コンソールドアを内部トレイと共に開くことでボックス本体の収納部が利用可能となり、内部トレイをボックス本体側に残してコンソールドアのみを開くことで内部トレイの収納部が利用可能となる形式のコンソールボックスであって、
コンソールドアと共に開閉され、かつ、コンソールドアがスライド可能に支持されているベースと、
このベースに設けられ、ボックス本体に対してコンソールドアを閉じた状態にロックすることが可能な第１ロック部材と、
同じくベースに設けられてコンソールドアと内部トレイとを一体的に保持した状態にロックすることが可能な第２ロック部材と、
コンソールドアに設けられた第１操作ノブおよび第２操作ノブと、
コンソールドアに設けられ、第１操作ノブあるいは第２操作ノブの操作に個別に連動して、第１ロック部材あるいは第２ロック部材に対して個々のロックを解除するための作動力を伝達する第１ロック解除部材および第２ロック解除部材とを備え、
第１ロック解除部材および第２ロック解除部材は、コンソールドアのスライドの全ストローク内において、第１ロック部材および第２ロック部材に対する作動力の伝達が可能に配置されているコンソールボックス。
【請求項２】
請求項１に記載されたコンソールボックスであって、
第１ロック部材および第２ロック部材は、ベースに対して同軸上に配置され、その軸心を支点とする回転によって個々のロックおよびその解除が可能であり、かつ、相互の間に連動部が構成され、この連動部が、第１ロック部材は単独でロック解除方向へ回転し、第２ロック部材は第１ロック部材を伴ってロック解除方向へ回転するように設定されているコンソールボックス。
【発明の詳細な説明】
【技術分野】
【０００１】
本発明は、コンソールドアがボックス本体に対して開閉可能で、かつ、前後方向へのスライド可能に組み付けられている形式のコンソールボックスに関する。
【背景技術】
【０００２】
この種のコンソールボックスは、例えば特許文献１に開示された技術が既に知られている。この技術では、ボックス本体に対してコンソールドアがベースと共に開閉できるように取り付けられ、このベースに対してコンソールドアが前後方向へスライド可能に組み付けられている。コンソールボックスの前面側において、コンソールドア側には操作ノブが設けられ、ベース側にはコンソールドア（ベース）を閉じた状態にロックするロックストライカーが設けられている。また、コンソールドア側には、操作ノブの操作に連動してロックストライカーのロックを解除するロック解除部材が設けられている。
コンソールドアをベースに対して前方へスライドさせた状態であっても、操作ノブの操作力がロック解除部材を通じてロックストライカーに伝えられる。この結果、ロックストライカーによるロックが解除され、コンソールドアを開いてボックス本体の収納部を利用することが可能となる。
【特許文献１】特開２００３−２３７４７６号公報
【発明の開示】
【発明が解決しようとする課題】
【０００３】
特許文献１に開示されているコンソールボックスは、ボックス本体とコンソールドア（ベース）との間に配置される内部トレイを備えていないタイプである。これに対し、内部トレイを備えているコンソールボックスにおいては、ボックス本体の収納部を利用するための前述した操作に加え、内部トレイの収納部を利用するための操作が必要である。そして、コンソールドアを前方へスライドさせた状態においても、内部トレイの収納部を利用するための操作を可能とする技術の開発が要望されている。
【０００４】
本発明は、このような課題を解決しようとするもので、その目的は、コンソールドアをスライドさせた状態であっても、ボックス本体の収納部あるいは内部トレイの収納部をそれぞれ利用するための操作を可能とすることである。
【課題を解決するための手段】
【０００５】
本発明は、上記の目的を達成するためのもので、以下のように構成されている。
第１の発明は、ボックス本体に対してコンソールドアが開閉可能で、かつ、前後方向へのスライド可能に組み付けられているとともに、ボックス本体の開放面とコンソールドアとの間に内部トレイが設けられ、コンソールドアを内部トレイと共に開くことでボックス本体の収納部が利用可能となり、内部トレイをボックス本体側に残してコンソールドアのみを開くことで内部トレイの収納部が利用可能となる形式のコンソールボックスであって、コンソールドアと共に開閉され、かつ、コンソールドアがスライド可能に支持されているベースと、このベースに設けられ、ボックス本体に対してコンソールドアを閉じた状態にロックすることが可能な第１ロック部材と、同じくベースに設けられてコンソールドアと内部トレイとを一体的に保持した状態にロックすることが可能な第２ロック部材と、コンソールドアに設けられた第１操作ノブおよび第２操作ノブと、コンソールドアに設けられ、第１操作ノブあるいは第２操作ノブの操作に個別に連動して、第１ロック部材あるいは第２ロック部材に対して個々のロックを解除するための作動力を伝達する第１ロック解除部材および第２ロック解除部材とを備えている。そして、第１ロック解除部材および第２ロック解除部材は、コンソールドアのスライドの全ストローク内において、第１ロック部材および第２ロック部材に対する作動力の伝達が可能に配置されている。
【０００６】
この構成によれば、コンソールドアを任意の位置にスライドさせた状態であっても、このコンソールドアに設けられている第１操作ノブあるいは第２操作ノブを選択的に操作することにより、ボックス本体の収納部あるいは内部トレイの収納部をそれぞれ利用でき、コンソールボックスの商品性が向上する。
【０００７】
第２の発明は、第１の発明において、第１ロック部材および第２ロック部材は、ベースに対して同軸上に配置され、その軸心を支点とする回転によって個々のロックおよびその解除が可能であり、かつ、相互の間に連動部が構成されている。この連動部が、第１ロック部材は単独でロック解除方向へ回転し、第２ロック部材は第１ロック部材を伴ってロック解除方向へ回転するように設定されている。
【０００８】
これにより、第２操作ノブを操作して第２ロック部材をロック解除方向へ回転させると、これに同期して第１ロック部材もロック解除方向へ回転することとなる。したがって、第１操作ノブを操作してボックス本体の収納部を利用する場合と同様に、第２操作ノブのみを操作することで、内部トレイの収納部を利用することができる。
【発明を実施するための最良の形態】
【０００９】
以下、本発明を実施するための最良の形態を、図面を用いて説明する。
図１〜図４に、コンソールボックスが外観斜視図で表されている。これらの図面で示すようにコンソールボックスの構成は、ボックス本体１０、内部トレイ１２およびコンソールドア１６に大別される。そして、図１および図２ではコンソールドア１６を閉じた状態が示され、図２ではコンソールドア１６を前方へスライドさせた状態が示されている。また、図３および図４ではそれぞれコンソールドア１６を開いた状態が示され、図３はボックス本体１０の収納部１０ａが利用可能な状態であり、図４は内部トレイ１２の収納部１２ａを利用可能な状態である。
コンソールドア１６は、次に説明するベース１４を通じて図示外のヒンジアームおよびヒンジ軸により、ボックス本体１０に組み付けられている。このヒンジ軸の軸心を支点としてベース１４と一緒にコンソールドア１６を回転操作することにより、ボックス本体１０の上面（開放面）を開閉することができる。一方、内部トレイ１２においても、図示外の専用ヒンジアームを用いてベース１４と同じヒンジ軸に支持され、このヒンジ軸の軸心を支点として回転できるようになっている。ただし、コンソールドア１６が図１および図２で示すように閉ざされた状態、あるいはコンソールドア１６を図３で示すように開いた状態での内部トレイ１２は、後で説明するように内部トレイ１２はコンソールドア１６の内側（ベース１４側）に張り付いた状態に保持されている。
【００１０】
図５に、コンソールドア１６の構成部材が内部トレイ１２と共に分解斜視図で表されている。また、図６にコンソールボックスの主要部が断面図で表され、図７および図８にそれぞれ別の箇所が断面図で表されている。
コンソールドア１６が閉ざされた状態において、ボックス本体１０の上面には内部トレイ１２が収納部１０ａの開放面を塞いだ状態に位置し、内部トレイ１２の上面にベース１４を介在した状態でコンソールドア１６が位置している。ベース１４は、前述のヒンジ軸によってボックス本体１０に回転可能に支持され、このベース１４に対してコンソールドア１６が前後方向へスライド可能に組み付けられる。コンソールドア１６のスライドを案内するために、ベース１４の左右両側には片側につき2個ずつ、計4個のガイド片１４ａが一体に形成されている（図５）。ベース１４における前方側の上面には、次に説明する第１ストライカー２６および第２ストライカー２８を回転可能に支持するための軸支リブ１４ｂが一体に形成されている。
【００１１】
コンソールドア１６は、ドアアウター１６ａとドアインナー１６ｂとからなり、ドアアウター１６ａの内側にドアインナー１６ｂが一体的に組み付けられている。ドアアウター１６ａにおける左右両側の内面には、図５で示すレール１８がそれぞれ固定される。これらの両レール１８をベース１４の両側の各ガイド片１４ａにそれぞれ係合させることにより、ベース１４に対するコンソールドア１６のスライドが可能となっている。
なお、ベース１４とドアインナー１６ｂとの間には、コンストンスプリングなどの付勢手段（図示省略）とスライドロック手段（図示省略）とが設けられている。この付勢手段は、コンソールドア１６を常に前方向へ付勢している。スライドロック手段は、コンソールドア１６を任意のスライド位置でロックすることができる。
【００１２】
ドアアウター１６ａには、第１操作ノブ２０および第２操作ノブ２２が、コンソールドア１２の前面側において左右に並べて組み付けられている。これらの両操作ノブ２０，２２は、ドアアウター１６ａに対して同一軸線上に設定された個々の回転軸心２０ａ，２２ａを支点として回転操作可能に支持されている。ドアインナー１６ｂには、スライド操作ノブ２４が第１操作ノブ２０および第２操作ノブ２２の下部に位置するように組み付けられている。このスライド操作ノブ２４は、ドアインナー１６ｂに対して第１操作ノブ２０および第２操作ノブ２２の回転軸心２０ａ，２２ａと同軸心を支点として回転操作可能に支持されている（図６）。
また、ドアアウター１６ａには、第１操作ノブ２０および第２操作ノブ２２の回転操作に個別に連動する第１作動体３０（第１ロック解除部材）および第２作動体３２（第２ロック解除部材）が組み込まれている。ドアインナー１６ｂには、スライド操作ノブ２４の回転操作に連動するキャッチ３４が組み込まれている（図５、図６）。これらの詳細な構成については、後で説明する。
【００１３】
ベース１４の前面側には、第１ストライカー２６（第１ロック部材）および第２ストライカー２８（第２ロック部材）がそれぞれ組み付けられている。図９に、両ストライカー２６，２８の支持構造が断面図によって表されている。この図面で明らかなように、両ストライカー２６，２８は互いに同一軸線上で、かつ、左右方向に隣接して配置されている。両ストライカー２６，２８における個々の両端部にある回転軸部２６ａ，２８ａは、ベース１４の前述した各軸支リブ１４ｂに対して回転可能に支持されている。両ストライカー２６，２８は、それぞれの回転軸心から下方へ延びるフック部２６ｂ，２８ｂと、それぞれの回転軸心から斜め上方へ延びる入力アーム２６ｃ，２８ｃとを備えている。つまり、両ストライカー２６，２８における個々のフック部２６ｂ，２８ｂはベース１４の下方に位置し、個々の入力アーム２６ｃ，２８ｃはドアインナー１６ｂに開けられているそれぞれの開口部１６ｂ１，１６ｂ２を通過してドアアウター１６ａ側に位置している（図７、図８）。
図１０に、両ストライカー２６，２８が斜視図で表されている。この図面からも明らかなように、両ストライカー２６，２８の隣接箇所における第１ストライカー２６の側には連動ピン２６ｄが設けられ、第２ストライカー２８の側には連動突片２８ｄが設けられている。第１ストライカー２６の連動ピン２６ｄは第２ストライカー２８に向けて突出しており、第２ストライカー２８の連動突片２８ｄは第１ストライカー２６に向けて突出している。そして、連動ピン２６ｄに連動突片２８ｄが上側から覆い被さるように位置している。これらの位置関係については、第１ストライカー２６をロック解除方向へ回転させた状態で両ストライカー２６，２８を側面図で表した図１１からも明らかである。
【００１４】
第１ストライカー２６は、ボックス本体１０とコンソールドア１６とをロックする機能を有する。この第１ストライカー２６のフック部２６ｂは、図５および図７に示すように内部トレイ１２の前面に開けられている開口１２ｃを通じてボックス本体１０のロック係止面１０ｂに係止している（図７）。そして、第１ストライカー２６は、その回転軸部２６ａの軸心を支点としてフック部２６ｂをロック係止面１０ｂに係止させる回転方向（ロック方向）へスプリング力で付勢されている。これにより、ボックス本体１０に対してコンソールドア１６が閉ざされた状態に保持される。
第２ストライカー２８は、内部トレイ１２とコンソールドア１６とをロックする機能を有する。この第２ストライカー２８のフック部２８ｂは、内部トレイ１２のロック係止面１２ｂに係止している（図８）。この第２ストライカー２８においても、その回転軸部２８ａの軸心を支点としてフック部２８ｂをロック係止面１２ｂに係止させる回転方向（ロック方向）へスプリング力で付勢されている。これにより、内部トレイ１２がコンソールドア１６（ベース１４）の内側に張り付いた状態に保持される。
【００１５】
第１作動体３０および第２作動体３２は、コンソールドア１６のドアアウター１６ａに対して互いに並列に組み込まれる。これらの両作動体３０，３２における個々の両側壁には、それぞれの前後二箇所においてガイド孔３０ａ，３２ａが形成されている。これらの各ガイド孔３０ａ，３２ａは斜めに長い形状で、かつ、個々の内部にはドアインナー１６ｂに固定されたガイドピン３０ｂ，３２ｂがそれぞれ係合している。つまり、両作動体３０，３２は、各ガイドピン３０ｂ，３２ｂを通じてドアアウター１６ａに支持され、各ガイド孔３０ａ，３２ａの範囲内で前後方向へ移動できるとともに、各ガイド孔３０ａ，３２ａの傾斜によって上下に変位することとなる。なお、両作動体３０，３２は、引っ張りスプリングなどを用いた個々の付勢手段（図示省略）によって常に後方向へ付勢され、図６〜図８で示す後方、かつ上方位置に保持されている。
両作動体３０，３２における個々の前端部には、上下に貫通した係合孔３０ｃ，３２ｃが形成されており、それぞれの係合孔３０ｃ，３２ｃに第１操作ノブ２０および第２操作ノブ２２の出力端部２０ｂ，２２ｂが個別に係合している（図７、図８）。したがって、第１操作ノブ２０あるいは第２操作ノブ２２がそれぞれの回転軸心２０ａ，２２ａを支点として回転操作されると、第１作動体３０あるいは第２作動体３２が個々の付勢力に抗して前方、かつ下方へ移動することになる。また、両作動体３０，３２の下面には、両ストライカー２６，２８の入力アーム２６ｃ，２８ｃがドアインナー１６ｂの両開口部１６ｂ１，１６ｂ２を通じて個別に接触している。なお、ドアインナー１６ｂの両開口部１６ｂ１，１６ｂ２は、コンソールドア１６が既に説明したようにスライドしても、ドアインナー１６ｂと両ストライカー２６，２８の入力アーム２６ｃ，２８ｃとが干渉しないように前後方向へ長くなっている。
【００１６】
キャッチ３４は、両作動体３０，３２の中間位置においてドアインナー１６ｂに組み込まれている。また、キャッチ３４は１６に対して前後方向への移動が可能であり、かつスプリング（図示省略）の弾性力によって常に後方向へ付勢されている。キャッチ３４の前端部にはスライド操作ノブ２４の出力端部が係合しており、このスライド操作ノブ２４を前述したようにドアインナー１６ｂに対して回転操作することで、キャッチ３４が付勢力に抗して前方向へ移動する。このキャッチ３４の移動により、ベース１４とドアインナー１６ｂとの間に設けられている前述のスライドロック手段（図示省略）のロックが解除され、コンソールドア１６をベース１４に対して前後方向へスライドさせることができる。このとき、コンソールドア１６はコンストンスプリングなどを用いた前述の付勢手段（図示省略）によって前方向へ付勢されているので、前方向へは軽い力でスライドさせることができる。
コンソールドア１６を所望の位置にスライドさせた状態で、スライド操作ノブ２４に対する操作力を解放すれば、キャッチ３４が付勢力にしたがって後方向へ復帰し、スライドロック手段がロックされる。これにより、コンソールドア１６がそのときのスライド位置に保持される。
【００１７】
コンソールボックスの使用に際し、第１操作ノブ２０が回転軸心２０ａを支点に回転操作されると、その出力端部２０ｂによって第１作動体３０が前方向へ引っ張られ、図７の仮想線で示すように前方、かつ下方へ移動する。これにより、第１作動体３０の下面で第１ストライカー２６の入力アーム２６ｃが押され、この第１ストライカー２６が回転軸部２６ａを支点として図７の仮想線で示すロック解除状態に回転する。この結果、第１ストライカー２６のフック部２６ｂがボックス本体１０のロック係止面１０ｂから外れ、ボックス本体１０とコンソールドア１６とのロックが解除される。
なお、第１ストライカー２６がロック解除状態に回転した場合、その連動ピン２６ｄは第２ストライカー２８の連動突片２８ｄから離れるだけで、第２ストライカー２８は回転作用を受けない（図１１）。このため、内部トレイ１２とコンソールドア１６とは、第２ストライカー２８によってロック状態に保持されている。したがって、コンソールドア１６は内部トレイ１２と一緒に開かれ、図３で示すようにボックス本体１０の収納部１０ａが利用可能となる。
【００１８】
第２操作ノブ２２が回転軸心２２ａを支点に回転操作されると、その出力端部２２ｂによって第２作動体３２が前方向へ引っ張られ、図８の仮想線で示すように前方、かつ下方へ移動する。これにより、第２作動体３２の下面で第２ストライカー２８の入力アーム２８ｃが押され、この第２ストライカー２８が回転軸部２６ａを支点として図８の仮想線で示すロック解除状態に回転する。この結果、第２ストライカー２８のフック部２８ｂが内部トレイ１２のロック係止面１２ｂから外れ、内部トレイ１２とコンソールドア１６とのロックが解除される。
このときの第２ストライカー２８の回転により、その連動突片２８ｄが第１ストライカー２６の連動ピン２６ｄに干渉し、第２ストライカー２８が第１ストライカー２６を伴ってロック解除方向へ回転する。この結果、内部トレイ１２とコンソールドア１６とのロック解除に同期してボックス本体１０とコンソールドア１６とのロックも解除される。これにより、内部トレイ１２をボックス本体１０側に残してコンソールドア１６を開くことができ、図４で示すように内部トレイ１２の収納部１２ａが利用可能となる。
以上の機能から明らかなように、第１ストライカー２６の連動ピン２６ｄと第２ストライカー２８連動突片２８ｄとは、本発明の「連動部」に相当する。
【００１９】
既に説明したように、スライド操作ノブ２４を操作してコンソールドア１６を任意の位置にスライドさせた状態であっても、第１操作ノブ２０あるいは第２操作ノブ２２を操作することにより、第１作動体３０あるいは第２作動体３２の作動を通じて第１ストライカー２６あるいは第２ストライカー２８をロック解除方向へ回転させることができる。したがって、コンソールドア１６を前後方向へスライドさせることが可能な形式のコンソールボックスであっても、何らの制約を伴うことなく、ボックス本体１０の収納部１０ａあるいは内部トレイ１２の収納部１２ａを選択的に利用することが可能となる。
なお、図面で示す実施の形態では、両操作ノブ２０，２２およびスライド操作ノブ２４にプル操作で回転するタイプを採用しているが、これらをプッシュ操作で回転するタイプに代えることは当然可能である。また、各作動部における付勢手段としての各種スプリングについては、圧縮スプリング、引っ張りスプリング、捩りスプリングなどを仕様や形状に応じて自由に対応させればよい。
【図面の簡単な説明】
【００２０】
【図１】コンソールドアを閉じた状態のコンソールボックスを表した外観斜視図
【図２】コンソールドアを前方へスライドさせた状態のコンソールボックスを表した外観斜視図
【図３】コンソールドアを内部トレイと共に開いた状態のコンソールボックスを表した外観斜視図
【図４】コンソールドアのみを開いた状態のコンソールボックスを表した外観斜視図
【図５】コンソールドアの構成部材を内部トレイと共に表した分解斜視図
【図６】コンソールボックスの主要部を表した断面図
【図７】図６において異なる箇所の断面を表した断面図
【図８】図７とは別の箇所の断面を表した断面図
【図９】両ストライカーの支持構造を表した断面図
【図１０】両ストライカーを表した外観斜視図
【図１１】両ストライカーを表した側面図
【符号の説明】
【００２１】
１０ ボックス本体
１０ａ  収納部
１０ｂ  ロック係止面
１２ コンソールドア
１２ａ  収納部
１４ ベース
１６ コンソールドア
２０ 第１操作ノブ
２２ 第２操作ノブ
２６ 第１ストライカー（第１ロック部材）
２８ 第２ストライカー（第２ロック部材）
３０ 第１作動体（第１ロック解除部材）
３２ 第２作動体（第２ロック解除部材）
【図１】
2008273366.tif 000003
【図２】
2008273366.tif 000004
【図３】
2008273366.tif 000005
【図４】
2008273366.tif 000006
【図５】
2008273366.tif 000007
【図６】
2008273366.tif 000008
【図７】
2008273366.tif 000009
【図８】
2008273366.tif 000010
【図９】
2008273366.tif 000011
【図１０】
2008273366.tif 000012
【図１１】
2008273366.tif 000013